(57)【要約】生体内撮像装置は、少なくとも１つの画像センサ（１４）と、電磁エネルギ（４６）を受取るよう、および受取られた電磁エネルギを画像センサの少なくとも１つの電気部品に動力を提供するためのエネルギへ変換するよう構成されたエネルギ受容ユニット（１９）とを含む。
2004528890.tif 000002
【特許請求の範囲】
【請求項１】
生体内撮像装置であって、
少なくとも１つの画像センサと、
電磁エネルギを受取るよう、および受取られた電磁エネルギを画像センサの少なくとも１つの電気部品に動力を提供するためのエネルギへ変換するよう構成されたエネルギ受容ユニットとを含む、撮像装置。
【請求項２】
照明源をさらに含む、請求項１に記載の撮像装置。
【請求項３】
照明源は光学窓の後ろに位置付けられている、請求項２に記載の撮像装置。
【請求項４】
画像センサおよび照明源は光学窓の後ろに位置付けられている、請求項２に記載の撮像装置。
【請求項５】
照明源はＬＥＤである、請求項２に記載の撮像装置。
【請求項６】
エネルギ受容ユニットは、電磁エネルギを受取るよう構成された少なくとも１つのコイルを含む、請求項１に記載の撮像装置。
【請求項７】
エネルギ受容ユニットは、電磁エネルギを受取るよう構成された３つのコイルを含む、請求項１に記載の撮像装置。
【請求項８】
エネルギ受容ユニットは、電磁エネルギを受取るよう構成された３つの直交するコイルを含む、請求項１に記載の撮像装置。
【請求項９】
エネルギ受容ユニットは、エネルギ受容ユニットの方向性とは独立して、磁界からエネルギを生成するよう構成されている、請求項１に記載の撮像装置。
【請求項１０】
エネルギ受容ユニットは、電磁エネルギを受取るよう構成された３つの直交するコイルを含む、請求項９に記載の撮像装置。
【請求項１１】
エネルギ受容ユニットは整流回路を含む、請求項１に記載の撮像装置。
【請求項１２】
エネルギ受容ユニットはエネルギを蓄積するよう構成されている、請求項１に記載の撮像装置。
【請求項１３】
エネルギ受容ユニットはキャパシタまたは充電可能な電池を含む、請求項１に記載の撮像装置。
【請求項１４】
画像センサはＣＣＤまたはＣＭＯＳ撮像カメラである、請求項１に記載の撮像装置。
【請求項１５】
送信機をさらに含む、請求項１に記載の撮像装置。
【請求項１６】
画像データを送信するための送信機をさらに含む、請求項１に記載の撮像装置。
【請求項１７】
生体内撮像装置であって、
映像信号を得るよう構成された少なくとも１つの画像センサと、
電磁エネルギを受取るよう、および受取られた電磁エネルギを画像センサの少なくとも１つの電気部品に動力を提供するためのエネルギへ変換するよう構成されたエネルギ受容ユニットとを含む、撮像装置。
【請求項１８】
生体内撮像用システムであって、
生体内撮像装置と、撮像装置を誘導するよう構成された外部エネルギ源とを含み、
前記生体内撮像装置は、
少なくとも１つの画像センサと、
電磁エネルギを受取るよう、および受取られた電磁エネルギを画像センサの少なくとも１つの電気部品に動力を提供するためのエネルギへ変換するよう構成されたエネルギ受容ユニットとを含む、システム。
【請求項１９】
外部エネルギ源は時間変動する磁界を発生させる、請求項１８に記載のシステム。
【請求項２０】
外部エネルギ源は磁界発生器である、請求項１８に記載のシステム。
【請求項２１】
磁界発生器は３つの交互に直交する構成要素を含む、請求項２０に記載のシステム。
【請求項２２】
身体管腔における生体内撮像装置の場所を特定するよう構成された場所特定化装置をさらに含む、請求項１８に記載のシステム。
【請求項２３】
生体内撮像用の方法であって、請求項１に従った生体内撮像装置に外部から動力を供給して生体内の画像を得るステップを含む、方法。
【請求項２４】
生体内撮像用の方法であって、生体内映像撮像装置に外部から動力を供給して生体内の画像を得るステップを含む、方法。
【請求項２５】
画像信号を外部受信ユニットへ送信するステップをさらに含む、請求項２３に記載の方法。
【請求項２６】
映像信号を外部受信ユニットへ送信するステップをさらに含む、請求項２４に記載の方法。
【請求項２７】
生体内撮像装置の場所を特定するステップと、
外部エネルギ源を生体内撮像装置の場所と相関するように動かすステップとをさらに含む、請求項２３に記載の方法。
【請求項２８】
生体内撮像装置の場所を特定するステップと、
外部エネルギ源を生体内撮像装置の場所と相関するように動かすステップとをさらに含む、請求項２４に記載の方法。
【請求項２９】
胃腸管を撮像するためのカプセルであって、
少なくとも１つの画像センサと、
電磁エネルギを受取るよう、および受取られた電磁エネルギを画像センサの少なくとも１つの電気部品に動力を提供するためのエネルギへ変換するよう構成されたエネルギ受容ユニットとを含む、カプセル。
【請求項３０】
胃腸管を撮像するためのカプセルであって、
少なくとも１つのＣＭＯＳ画像センサと、
少なくとも１つのＬＥＤと、
画像信号を外部受信ユニットへ送信するための送信機と、
電磁エネルギを受取るよう、および受取られた電磁エネルギを画像センサの少なくとも１つの電気部品に動力を供給するためのエネルギへ変換するよう構成されたエネルギ受容ユニットとを含む、カプセル。
【発明の詳細な説明】
【技術分野】
【０００１】
発明の分野
この発明は誘導動力式生体内装置に関し、特に外部から動力を供給される生体内撮像装置に関する。
【背景技術】
【０００２】
発明の背景
人工内耳、人工心臓および除細動装置などの生理学的センサおよび医療装置は、生体内で機能するために埋込まれ得る。埋込まれた装置は電池を有していてもよく、または外部から動力を供給されてもよい。埋込物への外部エネルギ伝達は、埋込まれた装置の動力効率を高め、動作時間を増加させる。埋込物への外部無線エネルギ伝達も、患者の運動性に、および感染の可能性の排除に貢献する。
【０００３】
埋込まれた装置への動力の経皮的結合は、外部エネルギ伝達についての１つの選択肢である。別の選択肢がＷＯ９８／２９０３０に記載されており、それは体外の源から受取られた電気エネルギによって動力を供給され得る流体の流れを測定するための埋込可能なステントに関する。ステント回路は、ステントコイルの近傍で生じて一般にステントの中心軸と整列された時間変動する磁界によって活性化され得る。
【発明の開示】
【課題を解決するための手段】
【０００４】
発明の概要
この発明は誘導動力式生体内撮像装置を提供する。この発明の一実施例に従った撮像装置は身体管腔を通って動いてもよく、このため軸の向きが不定であるかもしれない。
【０００５】
撮像装置は、この発明の一実施例によれば、画像センサと、随意で照明源と、エネルギ受容（受取）ユニットとを含む。エネルギ受容ユニットは、電磁エネルギを受取るよう、および受取られた電磁エネルギを画像センサの少なくとも１つの電気部品に動力を供給するためのエネルギへ変換するよう構成されている。
【０００６】
ここに言及されるように、「電磁エネルギ」という用語は、電磁波によって、または磁界によって生じるエネルギを指し得る。
【０００７】
たとえば、エネルギ受容ユニットは、電磁エネルギを受取るよう構成された少なくとも１つのコイルと、コイルに結合され、受取られた電磁エネルギを装置の電気部品、たとえば画像センサ、照明源などに動力を供給するためのエネルギへ変換するよう構成された要素とを含んでいてもよい。エネルギ受容ユニットはさらに、キャパシタまたは充電可能な電池を含むことなどによって電圧を蓄積するよう構成されていてもよい。
【０００８】
この発明の一実施例によれば、撮像装置は、照明源によって照らされた生体内の部位を撮像する。画像は撮像装置内に記憶されてもよく、または外部受信システムへ送信されてもよい。このため、この発明の装置は、収集された画像用のソリッドステートメモリチップなどの記憶装置をさらに含んでいてもよい。また、これに代えて、この装置は、信号を外部受信システムへ送信するための送信機を含んでいてもよい。
【０００９】
この発明の一実施例によれば、誘導動力式生体内撮像用システムも提供されている。このシステムは、この発明の一実施例によれば、生体内撮像装置と、撮像装置の誘導用の外部エネルギ源とを含む。この発明の一実施例では、生体内撮像装置は、画像センサと照明源とエネルギ受容ユニットとを有する。この装置は、信号を外部受信システムへ送信するための送信機をさらに含んでいてもよい。
【００１０】
撮像装置の誘導用の外部エネルギ源は通常、生体内撮像装置のまわりに時間変動する磁界を発生させることができる磁界発生器である。変動磁界は、ＡＣ誘導コイルによって、または回転磁気回路によって発生可能である。
【００１１】
磁界発生器は、患者の体内における生体内撮像装置の場所を特定するための場所特定化装置と通信してもよく、またはそれを含んでいてもよい。その場合、磁界発生器は、場所特定化装置によって判断されたような生体内撮像装置の場所に従って、患者の身体に沿って動かされることが可能であり、このため外部エネルギ源から生体内撮像装置へのエネルギ伝達を最適化させる。
【００１２】
この発明の一実施例では、生体内撮像装置は、少なくとも１つの相補型金属酸化物半導体（ＣＭＯＳ）撮像カメラと、少なくとも１つの発光ダイオード（ＬＥＤ）と、映像信号をＣＭＯＳ撮像カメラから外部受信システムへ送信するための送信機とを有する。エネルギ受容ユニットは、３軸コイルアセンブリと、磁気により誘導されたＡＣ電圧を生体内撮像装置の電気部品に動力を供給するために利用可能な所望のＤＣ電圧へ変換できる対応するセレクタ整流回路とを有する。外部エネルギ源は、低周波数ＡＣ誘導コイルまたは回転磁気回路を有する磁界発生器である。
【００１３】
別の実施例では、エネルギ受容ユニットは単一のコイルを有し、外部エネルギ源は３つの交互に直交する構成要素を有する磁界発生器である。
【００１４】
磁界発生器は、身体管腔内における生体内撮像装置の場所を特定するための場所特定化装置と通信してもよく、またはそれを含んでいてもよい。その場合、磁界発生器は、外部エネルギ源から生体内撮像装置へのエネルギ伝達を最適化させるため、場所特定化装置によって判断されたような生体内撮像装置の場所に従って、患者の身体に沿って動かされることが可能である。
【００１５】
この発明の装置およびシステムは、胃腸（ＧＩ）管などの身体管腔を撮像するために使用可能である。この発明の一実施例に従った装置は、実質的に全ＧＩ管を通過してその画像を得ることが可能な飲み込み可能なカプセル内に含まれていてもよい。随意に、この発明の装置は、針、ステント、カテーテルおよび内視鏡など、身体管腔へ挿入されてそれを通って動かされるのに好適などの装置にも取付けられてもよい。
【００１６】
この発明の一実施例によれば、生体内撮像用の方法がさらに提供される。一実施例では、この方法は、生体内撮像装置に外部から動力を供給して生体内の画像を得るステップを含み、生体内撮像装置は、少なくとも１つの画像センサと、随意で照明源と、エネルギ受容ユニットとを含む。エネルギ受容ユニットは、電磁エネルギを受取るよう、および受取られた電磁エネルギを画像センサの少なくとも１つの電気部品に動力を供給するためのエネルギへ変換するよう構成されている。
【００１７】
生体内撮像装置に外部から動力を供給するステップは、生体内撮像装置のまわりに磁界を発生させることによってなされ得る。磁界は、いくつかの実施例によれば、一方向性であってもよく、または３つの直交する構成要素を有していてもよいが、生体内撮像装置を有する患者の身体の区域のまわりに発生する。
【００１８】
この方法は、この発明の一実施例によれば、生体内撮像装置に外部から動力を供給するステップの前に随意に生体内撮像装置の場所を特定するステップと、外部エネルギ源、たとえば磁界発生器を、患者の体内の生体内撮像装置の場所と相関するように動かすステップとをさらに含んでいてもよい。
【００１９】
この発明の一実施例では、この方法はＧＩ管を撮像するのに有用であり、生体内撮像装置は、実質的に全ＧＩ管を通過可能な飲み込み可能なカプセル内に含まれていてもよい。
【００２０】
この発明は、図面とともに以下の詳細な説明からより十分に理解され、認識されるであろう。
【発明を実施するための最良の形態】
【００２１】
発明の詳細な説明
この発明の一実施例に従った装置は、誘導動力式生体内撮像装置である。この装置は患者の体内に導入されてもよく、この装置の電気部品は患者の身体へはたらかせる外部エネルギ源によって動力を供給されてもよい。このため、この装置はその動作について、保管寿命が限られ動作時間量が限られている電池に依存しなくてもよい。
【００２２】
生体内撮像装置は、とりわけ身体管腔を通って動かされることによって身体管腔内からの画像を得るために使用可能である。この装置は、飲み込み可能なカプセル、針、ステント、カテーテル、内視鏡など、身体管腔に挿入されるよう、および／または動かされるよう設計された医療機器に取付可能である。
【００２３】
図１に示すこの発明の一実施例では、装置は、この発明の共通譲受人へ譲渡され、ここにその全容が引用により援用されるＷＯ０１／６５９９５に記載されたカプセルなどの飲み込み可能なカプセル内に含まれている。
【００２４】
飲み込み可能なカプセル１０は光学窓１２から構成されており、その後ろには、ＧＩ管の画像を得るためのＣＣＤまたはＣＭＯＳ撮像カメラ１４などの少なくとも１つのソリッドステート撮像チップと、ＧＩ管を照らすための少なくとも１つのＬＥＤ１３とが位置付けられている。ＣＭＯＳ撮像カメラ１４は、ＣＭＯＳ撮像カメラ１４により得られた映像信号を外部受信システム（図示せず）へ送信する送信機１５へ接続されている。送信機１５、ＣＭＯＳ撮像カメラ１４およびＬＥＤ１３はすべて、エネルギ受容ユニット１６に接続されており、それにより動力を供給されている。
【００２５】
エネルギ受容ユニット１６は、たとえば導電コイルなどの、外部エネルギ源からエネルギを受取るよう構成された要素１８と、ＡＣ電圧をＤＣ電圧へ変換するための整流回路１９と、キャパシタ１７とから構成されている。数ミリファラドから数百ミリファラドの範囲のキャパシタが使用されてもよく、またはそれに代えて、充電可能な電池が、カプセル１０の電気部品の動作に必要な電圧の蓄積用に使用できる。たとえば、約１０ファラドおよび５ｍ（ミリ）ワットのキャパシタがこの発明での使用に好適である。
【００２６】
エネルギ受容ユニット１６のブロック図を図１Ｂに示す。単一の受取インダクタＬが、時間変動する磁界を交流電流へ変換し、それはダイオードブリッジＢによって整流される。キャパシタＣはエネルギ蓄積およびリップル減衰要素として機能する。
【００２７】
ここで、この発明のエネルギ受容ユニットの一実施例の概略図である図２Ａを参照する。エネルギ受容ユニット２６は、キャパシタまたは他の好適なエネルギ蓄積構成要素（図示せず）と、ＡＣ電圧をＤＣ電圧へ変換するための整流回路（図示せず）と、外部エネルギ源からエネルギを受取るよう構成された３軸コイルアセンブリ２８またはおそらくは３つ以上の別々の直交する要素とを含む。３軸コイルアセンブリ２８は、（以下により詳細に説明するように）エネルギがエネルギ受容ユニット２６の方向性とは独立して一方向性の磁界から生成されることを確実にする。
【００２８】
エネルギ受容ユニット２６のブロック図を図２Ｂに示す。３つの直交するコイルＬｘ、ＬｙおよびＬｚが、時間変動する磁界を交流電流へ変換し、それはダイオードブリッジＢによって整流される。キャパシタＣはエネルギ蓄積およびリップル減衰要素として機能する。
【００２９】
この発明のエネルギ受容ユニットの別の実施例を図３に概略的に提示する。エネルギ受容ユニット３６は、３軸コイルアセンブリ３８と、キャパシタ（図示せず）と、ＡＣ電圧をＤＣ電圧へ変換するための整流回路（図示せず）とを含んでおり、最大電圧を有するコイルを選択してそれを当該技術分野において公知の方法により整流して所望の電圧へ安定化させることが可能な回路３４へ接続されている。エネルギ受容ユニット３６、コイルアセンブリ３８および回路３４を含む装置へのエネルギ伝達はこうして最適化される。
【００３０】
ここで、この発明のシステムの一実施例が概略的に示されている図４を参照する。図１において説明されたカプセルなどのこの発明の装置４２を有する医療機器４０が、患者の身体４４内へ導入される。変動磁界４６が、磁界発生器４３によって、患者の身体４４のまわりに、医療機器４０を含む区域で発生する。磁界発生器４３は、通常低周波数ＡＣ誘導コイル（約６０Ｈｚ）であるＡＣ誘導コイル４５を含むことができ、または変動磁界を発生させる回転磁気回路を有していてもよい。エネルギ伝達のより高い効率を達成するためには、比較的高い周波数範囲で動作することが望まれる。しかしながら、高周波数での体内組織の高い減衰により、実用的な周波数範囲は通常、数十Ｈｚから数十ＫＨｚとなるであろう。
【００３１】
磁界４６は、装置４２内のエネルギを受取るよう構成された要素によって受取られる。磁界４６は、医療機器４０の電気部品に動力を供給するためキャパシタによって受取られ得る（および蓄積され得る）要素内の電流を誘導する。
【００３２】
磁界４６は、患者の身体４４を取囲む３つの直交するコイルによって発生されてもよい。この構成により、装置４２内の受容（受取）要素は、患者の身体４４内で任意の向きを有することができ、なおかつ発生した磁界４６からエネルギを取出すことができる。
【００３３】
患者の身体４４のまわりに磁界を発生させる際、３つの直交する外部コイルは同じ位相で同時に動作されてもよく、結局、線形の磁界になる。また、これに代えて、コイルは順次、またはそれらの間に位相偏移を有して動作されてもよく、結果として向きが時間変動する磁界となる。
【００３４】
受容要素における電磁界の誘導は、受容要素の長軸と磁界４６の軸とが互いに直交している場合に最も効率よくなり得る。しかしながら、医療機器４０は身体管腔をときには回転しながらまたは転がりながら通って動く場合があるため、装置４２（およびその中の要素）の方向性は常に一定とは限らず、必ずしも知られてはおらず、磁界および要素の軸を互いに対して一定の位置に保ちにくくする。この問題は、この発明において、２つの方法のうちの１つにおいて克服される。つまり、エネルギを受取るよう構成された要素が３軸コイルアレイを含み、または磁界が３軸構成を含んでおり、医療機器４０およびその中の装置４２のどの方向性に対しても、エネルギ受容要素の長軸と基本的に直交する磁界があるようになっている。
【００３５】
この発明の一実施例では、任意の所与の瞬間における医療機器４０の場所が判断可能であり、磁界発生器４３は患者の身体４４内の医療機器４０の場所と相関するように動かされ得る。この実施例では、システムは、外部に配置された、通常患者の胴体の中央部のまわりに巻かれたアンテナアレイを含む受信システムを含んでいてもよいが、他の受信システムも可能である。アンテナは、それらの出力から患者の身体４４内の医療機器４０の場所を判断可能となるように配置される。アンテナの出力を用いて、三角測量または他の当該技術分野において公知の好適な方法により、医療機器４０の場所を判断することができる。たとえば、患者のＧＩ管内の飲み込み可能なカプセルの場所を判断するための方法がＵＳ５，６０４，５３１に記載されている。ＵＳ５，６０４，５３１は、この出願の共通譲受人へ譲渡されており、ここにその全容が引用により援用される。
【００３６】
医療機器４０の判断された場所は、必ずしも必要ではないものの通常は位置モニタ上に、それが入っている消化管などの身体管腔の図面へのオーバーレイとして、２次元または３次元的に表示可能である。
【００３７】
磁界発生器４３は、磁界発生器４３の場所が患者の身体４４内の医療機器４０の場所と相関可能となるように、位置モニタと通信してもよい。また、これに代えて、磁界発生器４３は、患者の身体４４内の医療装置４０の場所を上述のものと同様の態様で特定するための場所特定化装置を含んでいてもよい。その場合、磁界発生器４３は、医療装置４０の場所に従って患者の身体４４に沿って動かされることができ、このため外部エネルギ源から医療機器４０へのエネルギ伝達を最適化する。
【００３８】
当業者であれば、この発明が上に特に示され説明されたことに限定されないことを認識するであろう。むしろ、この発明の範囲は特許請求の範囲のみにより規定される。
【図面の簡単な説明】
【００３９】
【図１Ａ】この発明の一実施例に従った生体内撮像装置の概略図である。
【図１Ｂ】この発明の一実施例に従った、図１Ａに示す生体内撮像装置に含まれるエネルギ受容ユニットの電気ブロック図である。
【図２Ａ】この発明の一実施例に従ったエネルギ受容ユニットの概略図である。
【図２Ｂ】この発明の一実施例に従った、図２Ａに示するエネルギ受容ユニットの電気ブロック図である。
【図３】この発明の別の実施例に従ったエネルギ受容ユニットの概略図である。
【図４】この発明の一実施例に従ったシステムの概略図である。
【国際公開パンフレット】
2004528890.tif 000003
2004528890.tif 000004
2004528890.tif 000005
2004528890.tif 000006
2004528890.tif 000007
2004528890.tif 000008
2004528890.tif 000009
2004528890.tif 000010
2004528890.tif 000011
2004528890.tif 000012
2004528890.tif 000013
2004528890.tif 000014
2004528890.tif 000015
2004528890.tif 000016
2004528890.tif 000017
2004528890.tif 000018
2004528890.tif 000019
2004528890.tif 000020
2004528890.tif 000021
【国際調査報告】
2004528890.tif 000022